(57)【要約】【課題】  体腔内に挿入して「内視鏡を介して体腔内の異物を捕獲回収する体腔内異物除去治療」や血栓除去治療が、高品質高能率にできる医療用処置具を提供する。【解決手段】  被覆外層を有する中空撚線コイル体の主線条部に操作用芯材をスライド自在に貫挿した可撓性線条体にして、前記操作用芯材の両端は前記主線条部の前端と該主線条部の後端の手元操作部に連結されると共に、前記主線条部の先端近傍に前記被覆外層を剥離したストレート形態の前記中空撚線コイル体から成る膨縮径部を備え、前記手元操作部による前記操作用芯材と前記主線条部の相対スライドによって、前記膨縮径部のバスケット状膨径変体と該バスケット状膨径からの縮径変体を自在にした構造を特徴とする医療用処置具【選択図】      図１
2005177035.tif 000002
【特許請求の範囲】
【請求項１】
被覆外層を有する中空撚線コイル体の主線条部に操作用芯材をスライド自在に貫挿した可撓性線条体にして、前記操作用芯材の両端は前記主線条部の前端と該主線条部の後端の手元操作部に連結されると共に、前記主線条部の先端近傍に前記被覆外層を剥離したストレート形態の前記中空撚線コイル体から成る膨縮径部を備え、前記手元操作部による前記操作用芯材と前記主線条部の相対スライドによって、前記膨縮径部のバスケット状膨径変体と該バスケット状膨径からの縮径変体を自在にした構造を特徴とする医療用処置具。
【請求項２】
膨縮径部の両側部位の中空撚線コイル体に、コイル素線群の結束固定手段を設けた請求項１に記載の医療用処置具。
【請求項３】
膨径前の膨縮径部の長さが、中空撚線コイル体のコイル素線群の３６０°撚りピッチと概ね同一に設定された請求項１または請求項２に記載の医療用処置具。
【請求項４】
手元操作部が、主線条部側と操作用芯材側の雌ねじ体と雄ねじ体の螺合機構、または、主線条部側と操作用芯材側の操作片の近接・離反スライド機構から成る請求項１〜請求項３のいずれかに記載の医療用処置具。
【請求項５】
中空撚線コイル体のコイル素線が、撚り線から成る請求項１〜請求項４のいずれかに記載の医療用処置具。
【請求項６】
手元操作部が螺合機構から成り、操作用芯材の撚り方向が、前記螺合機構による該操作用芯材のプル操作の回転方向と同一にして、かつ、中空撚線コイル体の撚り方向と同一の撚り形態から成る請求項４または請求項５のいずれかに記載の医療用処置具。
【請求項７】
膨縮径部の膨径状態のセットロック手段を設けた請求項１〜請求項６のいずれかに記載の医療用処置具。
【発明の詳細な説明】
【技術分野】
【０００１】
本発明は、体腔内に挿入して「内視鏡を介して体腔内の異物を捕獲回収する体腔内異物除去治療」や血栓除去治療等に用いる医療用処置具に関するものである。
【背景技術】
【０００２】
体腔内異物の捕獲回収に用いる医療用処置具は、特許文献１・２に示される背景技術があり、その背景技術の代表的な特許文献１には（図４参照）長尺可撓性チューブのシース３０内に「進退自在の操作ワイヤ３１」と、その操作ワイヤ３１の外周に「先端部分が容易にバスケット状に膨大変形できる「曲りぐせ」をつけた数本のバスケットワイヤ３２」を配設して、先端を操作ワイヤ３１と一体に連結した構造のものが示されている。
【０００３】
そして、そのシース３０後端の操作部によって操作ワイヤ３１を進退操作し、シース３０の先端からバスケットワイヤ３２の「前記曲りぐせ部分」を突き出させることによって、自由状態となった該曲りぐせ部分を自力膨大させてボール形態輪郭のバスケット部３３を形成し、そのバスケット部３３に体腔内異物を収納すると共に、その収納異物を保持して体外に取り出す治療方法が採られている。
【０００４】
【特許文献１】特開平９−１９４３９号公報
【特許文献２】特開２００２−１５９５０３公報
【発明の開示】
【発明が解決しようとする課題】
【０００５】
以上の背景技術の医療用処置具は、バスケット部３３を形成するバスケットワイヤ３２のそれぞれがシース３０内でストレート状を成す線束にしてシース３０の先端から突き出したとき、それぞれのバスケットワイヤ３２が中心に存在する操作用ワイヤ３１を共通の弦とする自由な弓形状を呈して隣接間隔を有して集合するバスケット状の膨大形態に変形させる構造を特徴としている。
【０００６】
しかし、バスケットワイヤ３２に施された曲りぐせの「ばらつき」や、「シース３０内の配設ばらつき」個個のバスケットワイヤ３２が体腔内で接触する「体腔内粘性度」体腔内壁との接触抵抗の「ばらつき」等によって、その個個の弓形が「ばらついたり・倒れて隣接間隙を過大・過小に成す異形形状」となって、意図するバスケット形状が不安定にして歪形状になり易いと共に、そのバスケット部３３の膨大形態がワンパターンに限定され、さらに、バスケットワイヤ３２の各素線毎に金型で予めプレス加工して必要な熱処理を施し、しかるのち、その各線を等間隔に結束してバスケット状となす複雑な加工手段が不可欠であり、構造複雑にして成形加工性が劣る。
【０００７】
以上のバスケット部特性から体腔内異物の捕獲・収納作業がやりづらく、その上捕獲した異物を体腔内に落下させることがあり、当該治療性を妨げる難点がある。
【０００８】
本発明は、以上の背景技術の難点を解消する治療用処置具を提供するものである。
【課題を解決するための手段】
【０００９】
以上の技術課題を解決する本発明の医療用処置具は「被覆外層を有する中空撚線コイル体の主線条部に操作用芯材をスライド自在に貫挿した可撓性線条体にして、前記操作用芯材の両端は前記主線条部の前端と該主線条部の後端の手元操作部に連結されると共に、前記主線条体の先端近傍に前記被覆外層を剥離したストレート形態の前記中空撚線コイル体から成る膨縮径部を備え、前記手元操作部による前記操作用芯材と前記主線条部の相対スライドによって、前記膨縮径部のバスケット状膨径変体と該バスケット状膨径からの縮径変体を自在にした構造」が特徴である。
【００１０】
即ち、前記構成の本発明の医療用処置具は、特開２００２−２７５７７４公報等に示される「多数のコイル素線を同一円周上に撚合構成した可撓性線状体の中空撚線コイル体」とその可撓性線状体に内挿した前記操作用芯材によって主要部を構成し、その操作用芯材を「プル操作」することによって、該中空撚線コイル体の一部を膨径弾性変体させて治療用バスケット部として機能させる思想を特徴とするものである。
【００１１】
なお、前記構成における「操作用芯材と主線条部の相対スライド」とは、「前記手元操作部による操作用芯材のプル操作による主線条部と操作用芯材との相対スライド移動」を意味し、前記中空撚線コイル体は「コイル素線が単線または撚り線のもの」「捻回抵抗負荷の基で撚回したり加熱処理を施した高度の回転追従性・真直性付与形態のもの」が包含される。
【００１２】
そして、前記構成の本発明の医療用処置具は、後述する特有作用効果のさらなる安定向上を図る技術意図から「前記膨縮径部の両端部位の中空撚線コイル体に、コイル素線群の結束手段を設けた態様」「中空撚線コイル体のコイル素線の３６０°撚りピッチ（コイル素線のコイルピッチ）と膨径前の膨縮径部の長さが概ね同一に設定された態様」または「手元操作部が、主線条部側と操作用芯材側の雌ねじ体と雄ねじ体の螺合機構、または、主線条部側と操作用芯材側の操作片の近接・離反スライド機構から成る態様」「該膨縮径部の任意膨径状態をロックするセットロック手段を設ける態様」「操作用芯材を撚り線にすると共に、その撚り線と中空撚線コイル体の撚り方向を同一になし、かつ、操作用芯材のプル操作によって操作用芯材の撚りを緊締させる撚り方向形態」を必要に応じて採択する。
【発明の効果】
【００１３】
前記基本形態の本発明の医療用処置具は、体腔内異物の捕獲回収部として機能する膨縮径部が「被覆外層不存在の露出形態の中空撚線コイル体」によって構成され、かつ、その膨縮径部以外の「被覆外層存在の中空撚線コイル体」との連続一体化構造から成るので、その主線条部の中空部内の操作用芯材に加わるプル外力によって、ストレート状の該膨縮径部のコイル素線が素直に反応して弾性変位して「中間膨大・両端絞りのリブ集合バスケット形状に膨径変体」する。そして、そのプル外力が不存在になるとコイル素線それぞれの復元反力によって元のストレート状に自力復元して縮径変体作用する。なお、前記のプル外力のとき膨縮径部以外の主線条部の中空撚線コイル体は、被覆外層が存在しているので膨径変化するおそれがなく正常なストレート形状が維持される。
【００１４】
そして、その膨径変体状態の中空撚線コイル体のコイル素線は、コイル巻きによる撚り角（リード角）に基づいて「拡径変体したバスケット形状の中心線の該操作用芯材に対してスパイラル状」を呈すると共に、コイル巻きによる加工応力を残留させたまま弾性変形しているので、外力による形状歪が極めて少く、そのスパイラル状のコイル素線群が輪郭するバスケット部は素線間間隙の崩れが少い極めて良好なバスケット形状にして、かつ体腔内の接触抵抗や「粘性度」によって容易に変形する恐れがなく、捕捉後の異物を落下させることなく捕捉力を高める応分のバスケット剛性を有する。
【００１５】
さらに、そのバスケット部は操作用芯材を弦とする「スパイラル状のコイル素線の略弓形」の集合から成り、その弦の長さは前記の相対滑り度によって長短調整可能となるので、その弦長の調整セットによって「膨大径が大にして膨大スパンが少なる偏平形態バスケット部」「膨大径が少にして膨大スパンが大なる紡錘形態バスケット部」「この両者の中間形態」のセットが自在にして、その上、そのバスケット部の母体の膨縮径部は、主線条部の任意位置に設定できるので、体腔内治療部位の個有事情にマッチングしたバスケット部の多様形状パターンの設定が自在となる。以上の形状特性・形状変化性によって体腔内異物の捕獲がし易く、かつ、捕獲異物の落下トラブルが防止できる。
【００１６】
即ち、例えば前記紡錘形バスケット部・中間形状バスケット部によって体腔内異物をバスケット部内に捕獲し、しかるのち、前記偏平形態に変形させることによってバスケット部内の捕獲異物を押え込みキャッチして落下させることなく的確な除去治療ができる。
【００１７】
さらに、本発明の治療用処置具は「被覆外層つき中空撚線コイル体と、その中空撚線コイル体に貫挿する操作用芯材」の２要素によって主要部が構成できるので、背景技術の「シース３０・操作ワイヤ３１・バスケットワイヤ３２」の３要素によって主要部を構成するものより構造簡素にして形成し易く、かつ機械的構造が安定する。
【００１８】
詳しくは背景技術のものは、バスケットワイヤ３２に予め「曲りぐせ」加工と、その曲りぐせを保持させる熱処理加工が必要にして、その加工バスケットワイヤ３２を結束してシース３０内周に整列配設する困難な成形加工が不可欠にしてバスケット部３３の成形性が極めて劣ると共に、その配設ミスを生ずるリスクが高く形状安定性に欠ける。しかし本発明のものは、中空撚線コイル体の被覆外層を必要長に単に剥離するのみで正確な膨縮径部が形成可能にして、その上剥離位置を変えるのみで、バスケット部の位置が自在に設定可能であり極めて成形簡素にして、かつ精確形状の膨縮径部が成形できる。
【００１９】
以上の特有作用によって本発明の医療用処置具は、体腔内異物の捕獲回収等の治療が極めて的確かつ迅速になる高実用性を有して当該治療性を特段に向上する。以上の主たる作用効果がある。
【発明を実施するための最良の形態】
【００２０】
以下、前記基本形態に基づく好ましい実施例を説明する。
【実施例】
【００２１】
まず、図１・図２を参照して本発明１実施例の医療用処置具１（以下、単に処置具１という）を説明する。即ち、細長可撓性の主線条部２の前端近傍に「体腔内異物の捕獲回収用のバスケット部Ｂを膨縮自在に成す膨縮径部３」を設けると共に、その主線条部２の後端に「膨縮径部３を膨縮径操作する手元操作部５」を備えた体腔内異物の捕獲回収治療用の処置具１において、この実施例の主線条部２は「多数本の線材を撚合構成して中心芯材を抜き出し、または、多数本の線材を同一円周上に撚合構成して中心部分を長さ方向に貫通する中空部１０に成した中空撚線コイル体６」に樹脂質の被覆外層８を一体に設けた構造」を有している。
【００２２】
なお、被覆外層８の樹脂質は熱可塑性樹脂（ポリアミド・ふっ素樹脂等）熱硬化性樹脂（フェノール樹脂・エポキシ樹脂等）のいずれでも良く、熱可塑性樹脂であればロックウエル硬度８０（Ｒスケール）以上の比較的硬度の高いものが好ましい。
【００２３】
そして、この主線条部２の中空部１０には、前端を主線条部２の先端に連結し、かつ、後端を手元操作部５の雄ねじ体１２の先端に連結した操作用芯材４がスライド移動自在に貫挿され、さらに、膨縮径部３は「主線条部２の被覆外層８のみを剥離して中空撚線コイル体６のストレート状の外周を、そのまま露出した構造」にして、主線条部２の先端近傍に長さＬに形成設定されている。なお、図中の１５は主線条部２の中空部１０の先端を閉じて操作用芯材４の前端を連結した先頭栓である。
【００２４】
そして、手元操作部５は（図１（Ｄ）参照）「雌ねじ孔１７を有して主線条部２の後端に固着した筒状の雌ねじ体１１と、この雌ねじ体１１に螺合する雄ねじ部１８を棒状の把持部１３の前方に突設した雄ねじ体１２の組合せからなる螺合機構を有し、その雌ねじ体１１の外周に突設した把手フイン１４を指先で保持し、雄ねじ体１２を他の指先で回転操作すると、操作用芯材４にプル操作力が生じて、操作用芯材４が主線条部２の中空撚線コイル体６の中空部１０内をスライド移動して、前記構成要件の主線条部２と操作用芯材４の相対スライド操作ができる。
【００２５】
なお、この実施例の操作用芯材４は、「直径０．１６粍の素線を７本セットにして、そのうち１本を芯線・他の６本を該芯線に撚合した公知の「１×７」の撚り線にして直径Ｄ３＝約０．５粍」である。そして中空撚線コイル体６は「直径０．１粍の素線７本をセットにして同じく「１×７」に撚合した直径＝０．３粍の撚合素線」を１０本撚り合わせて長尺中空コイル体に成した形態にして、下記の工法によって成形される。即ち、該撚合素線と中心芯材を用いてロープ状に撚合構成した後、該中心芯材を抜き出して成形したり、または、その中心芯材を用いないで該撚合素線を同一円周上に撚合構成して成形する。
【００２６】
そして、この実施例の手元操作部５は雌ねじ体１１・雄ねじ体１２の螺合機構にして、雄ねじ体１２を回転（右ねじのときは左回転・左ねじのときは右回転）して後退させて操作用芯材４をプル操作する構造であることから、操作用芯材４中空撚線コイル体６の撚り方向が下記のように設定されている。即ち、操作用芯材４の撚り線は、プル操作の回転方向によって「撚りが緊締方向となる」撚り方向（Ｓ撚り・Ｚ撚り）にして、かつ、中空撚線コイル体６のコイルの撚り方向が操作用芯材４の撚り線の撚り方向と同一にした撚り形態に設定されている。
【００２７】
以上の図１実施例の処置具１は（図２参照）先頭栓１５から体腔内に挿入して体腔内異物の捕獲回収治療を行うとき、手元操作部５を回転操作して「操作用芯材４を手元部側へプル操作して主線条部２内を後退スライド移動」させると、そのスライド移動によって先頭栓１５に手元側への引き寄せ外力を生じ、その外力の吸収クッション部として膨縮径部３が機能する。
【００２８】
かくして、その引き寄せ外力にバランスした膨径力が膨縮径部３に生じてコイル素線７のそれぞれが中高山状に外方へ弾性歪して「コイル素線７のそれぞれが適量間隔を有して輪郭リブ線となる「膨大径Ｄ１・膨大スパンＳ１のバスケット部Ｂ１」に膨大変形する。
【００２９】
そして、その状態において手元操作部５を操作して、前記プル操作によるプル力を解消するとバスケットＢ１はコイル素線７自体の復元収縮力と、操作用芯材４の前進操作力または主線条部２の後退力の支援によって、前記膨大変形状態のコイル素線７のそれぞれが、元位置または元位置近似に復帰して概ね元姿勢に縮径変形できる。
【００３０】
そして、その治療において、膨径変形状態のバスケット部Ｂ１に体腔内異物を捕獲回収する。しかるのち、その収容異物の落下防止を図るために、手元操作部５を操作して操作用芯材４のプル量を調整して「膨大スパンＳ１・膨大径Ｄ1のバスケットＢ１を膨大スパンＳ２・膨大径Ｄ２偏平形態のバスケットＢ２」に変形して、該異物をコイル素線７によって挟着保持して体外に的確に回収する治療方法を必要に応じて実行する。
【００３１】
なお、この実施例のものは、前記のバスケットＢ１・Ｂ２の形状をロックして当該治療を一段とし易くする為に、雌ねじ体１１と雄ねじ体１２の螺合位置をセットロックするロックナット２７を雄ねじ体１２に装着した「膨径状態のセットロック手段」が付設されており、このセットロック手段は下記のように作用する。即ち、膨径状態のバスケットＢ１・Ｂ２はコイル素線７の弾性復元力によって膨径形状を崩そうとするのでロックナット２７によってその形状崩れを防止し、バスケット部Ｂ１・Ｂ２の膨径変体形状を術者の任意形状にロックして当該治療性の一段の向上ができる。
【００３２】
以上の図１実施例の処置具１は前記の主たる作用効果と前記の捕獲異物の良好な捕獲回収性の特有作用があり、体腔内異物の捕獲回収治療が極めて簡便かつ的確にして当該治療性を特段に向上することができる。
【００３３】
そして、操作用芯材４と中空撚線コイル体６が前記の撚り構成から成るので、プル操作による操作用芯材４の撚り線の弛緩がなくプル操作力の伝達性が良好に成ると共に（図２（Ｂ）参照）操作用芯材４のＴ１方向のプル操作回転の影響を受ける中空撚線コイル体６は、Ｔ２方向のコイル撚りを戻す作用力を受け、近傍に存在する膨縮径部３の膨径変体作用を支援する特有作用がある。
【００３４】
さらに、バスケット部Ｂを構成する中空撚線コイル体６のコイル素線７が撚り線であることから、下記の特有作用がある。即ち、スパイラル撚回してバスケット部Ｂを輪郭するコイル素線７が「ストレート線の同一膨大形態」のものより表面積大にして、柔軟性が向上するので、血管内の血栓・粘性の高い血餅等の捕捉回収が一段とし易くなると共に、血管壁等を傷つけることがない。
【００３５】
続いて、図３を参照して本発明の他の実施例の処置具１を説明する。即ち、図１実施例と同様な「主線条部２・操作用芯材４・膨縮径部３」を主要部とするものにおいて、図３に示す処置具１は下記の態様に設定されている。
【００３６】
即ち、まず図３（Ａ）に示すものは手元操作部５が、以下に詳述する操作片２１・２２の近接・離反スライド機構に構成されている。
【００３７】
詳しくは、主線条部２の後端に連結固定した管体にして後端に指先係止孔２３を有する雄操作片２２と、この雄操作片２２の胴部を横断貫通して雄操作片２２の周壁に切設したスリット２５を介して長手方向にスライド移動自在に組合せ、かつ、両側に指先係止孔２３を設けた雌操作片２１によって前記の近接・離反スライド機構を構成している。
【００３８】
そして、この指先係止孔２３に指先を入れて雌操作片２１をプル操作することによって、主線条部２と操作用芯材４を相対スライド移動させて、膨縮径部３の前記Ｂ１・Ｂ２の膨径変体と縮径変体を成す手元操作部５に設定されている。この図３（Ａ）の近接・離反スライド機構のものも図１実施例の螺合機構のものと同様に機能する。
【００３９】
なお、この実施例のものも、図示しないが雌・雄操作片２１・２２のスライド相対位置をセットロックしてバスケット部Ｂの膨大形状を任意形状にロックするロックボルトから成る膨縮径部３の膨径状態のセットロック手段が設けてある。
【００４０】
次に図３（Ｂ）に示すものは、手元操作部５が前記の雌ねじ体１１・雄ねじ体１２から成るも螺合機構のものにおいて、操作用芯材４が雌ねじ体１１と雄ねじ体１２に設けた芯材孔１６に遊挿されると共に、その後端はベアリング部１９を介して把持部１３の後端に「雄ねじ体１２と相対回転自在」に連結されており、雄ねじ体１２の回転操作による操作用芯材４の有害な回転外力を防止する「操作用芯材４の回転外力防止手段」が施してある。この回転外力防止手段は、設計上の制約等によって前記プル操作力によって操作用芯材４の撚りを緊締する方向に設定できないとき、特に有効となる。なお、図中のＰはベアリング部１９のキヤップである。
【００４１】
一方、図３（Ｃ）に示すものは膨縮径部３の両端部位に「中空撚線コイル体６のコイル素線７群をコイル状のまま結束固定する結束リング体２６による結束固定手段」または「コイル素線７群をコイル状のまま溶着固定する結束固定手段」から成るコイル素線７群の結束固定手段が施してある。なお、結束リング体２６はパイプ状・密着コイルばねのいずれであっても良い。
【００４２】
この図３（Ｃ）の態様のものは、膨縮径部３の膨径変体のときバスケット部Ｂの両端のコイル素線７に生ずる「膨径変体に基づく応力」を該結束固定手段によって担持してコイル素線７の浮上りほぐれを防止作用するので、膨縮径部３・バスケット部Ｂの形状が安定して反復膨縮径変化させても形状崩れがなく膨縮径部３の前記特有作用が一段と安定して良好となる。
【００４３】
一方、図示しないが本発明の他の実施例として、膨縮径部３の長さＬを、コイル素線７の３６０°撚りワンピッチと概ね同一に設定する形態にすることがある。この形態のものは膨縮径部３が膨縮径変体したときバスケット部Ｂを構成輪郭するコイル素線７が、膨縮径部３の中心線を３６０°捻回するスパイラル形態となるので、特に膨大径Ｄ２偏平形態のバスケットＢ２において異物捕捉力を高めることができ、さらに、操作用芯材４をプル操作すると、スパイラル形態のコイル素線７群が相互に接触状態となって、前記の特有作用が一段と安定し向上する。
【００４４】
そして、本発明の処置具１の中空撚線コイル体６は以上の実施例に限定されず、当該分野の先行文献の特願２００２−３５８８５１に開示されている「捻回抵抗負荷の基に捻回形成すると共に、加工による残留応力除去の加熱処理を施した高度の回転追従性・真直性付与形態に形成されて成る中空撚線コイル体」「コイル素線３がオーステナイト系ステンレス鋼線から成る中空撚線コイル体」「形状記憶特性・超弾性特性を示すＮｉ−Ｔｉ合金線材を、コイル線の一部に、またはコイル線全体に用いた中空撚線コイル体」「膨縮径部３以外の部分の被覆外層８を本発明の特有作用を阻害しない範囲で部分的に省略した形態」「樹脂被覆に代るステンレス鋼管・銅管等の金属製管体の被覆外層形態」等を含む総ての形態の主線条部・中空撚線コイル体が構成要件となる。そして、操作用芯材４は単線形態のものも包含される。
【００４５】
なお、前記実施例では「被覆外層８を剥離した露出形態の膨縮径部３」のみを説明したが、下記の形態にすることがある。即ち、被覆外層８を剥離した後の膨縮径部３に、ゴム質（天然ゴム・ウレタンゴム等）等の柔軟被覆を形成した「被覆付き膨縮径部構造」にして、例えばカテーテル等を併用して「その被覆つき膨縮径部」を膨大変体させて血管壁に摺接させながら、カテーテル管内へ体腔内異物を回収する治療手法等を可能にする形態にすることがある。
【産業上の利用可能性】
【００４６】
本発明の前記基本構成は、前記の体腔内異物の捕獲回収治療用のみではなく「脈管内異物除去治療具」等として広く応用できる。
【図面の簡単な説明】
【００４７】
【図１】本発明１実施例の医療用処置具を示し、（Ａ）は構造説明の全体正面図、（Ｂ）〜（Ｄ）は部分拡大正面図
【図２】（Ａ）（Ｂ）とも図１実施例の医療用処置具の用法・作用説明図
【図３】本発明の医療用処置具の他の実施例を示し、（Ａ）（Ｂ）（Ｃ）ともその要部の構造説明図
【図４】背景技術の医療用処置具の構造説明図
【符号の説明】
【００４８】
１  医療用処置具
２  主線条部
３  膨縮径部
４  操作用芯材
５  手元操作部
６  中空撚線コイル体
７  コイル素線
８  被覆外層
１０  中空撚線コイル体の中空部
１１  雌ねじ体
１２  雄ねじ体
１３  把持部
１６  芯材孔
１７  雌ねじ孔
１８  雄ねじ部
２１  雌操作片
２２  雄操作片
２３  指先係止孔
２６  結束リング体
Ｂ  バスケット部
Ｄ  膨大径
Ｓ  膨大スパン
【図１】
2005177035.tif 000003
【図２】
2005177035.tif 000004
【図３】
2005177035.tif 000005
【図４】
2005177035.tif 000006